(57)【特許請求の範囲】
【請求項１】
回転する光ディスクの上方位置に、板状部材を、該ディスク面に対面し、かつ、該板状部材の下面とディスク面との間および該板状部材の上面とその上方の装置固定部分との間にそれぞれ空気流の流通空間を形成して、装置の適宜の固定部分に固定配置し、
該板状部材に、ディスク回転に伴い該ディスク面上に発生する空気流を整流する作用を呈する、ディスクトラックと交差する方向に繰り返された繰り返し形状を形成し、
前記板状部材が、ディスク回転に伴い該板状部材の面内に発生する空気流の流出端側に、ディスクトラックと交差する方向に延在する縁部を有し、前記繰り返し形状が、該縁部に形成されている光ディスク装置。
【請求項２】
回転する光ディスクの上方位置に、板状部材を、該ディスク面に対面し、かつ、該板状部材の下面とディスク面との間および該板状部材の上面とその上方の装置固定部分との間にそれぞれ空気流の流通空間を形成して、装置の適宜の固定部分に固定配置し、
該板状部材に、ディスク回転に伴い該ディスク面上に発生する空気流を整流する作用を呈する、ディスクトラックと交差する方向に繰り返された繰り返し形状を形成し、
前記光ディスクをターンテーブルとクランパで挟み込み支持した状態で回転駆動する機構を有する光ディスク装置であって、
前記板状部材が、該機構において、前記クランパを保持するクランパホルダを構成し、
前記クランパホルダは、長板状に構成され、その長手方向中央部に前記クランパを保持し、該クランパホルダの長手方向両端部が装置構造部材に固定支持して配置され、該クランパホルダの前記クランパを挟んでその長手方向両側に位置する各面部分に前記繰り返し形状が形成されている光ディスク装置。
【請求項３】
回転する光ディスクの上方位置に、板状部材を、該ディスク面に対面し、かつ、該板状部材の下面とディスク面との間および該板状部材の上面とその上方の装置固定部分との間にそれぞれ空気流の流通空間を形成して、装置の適宜の固定部分に固定配置し、
該板状部材に、ディスク回転に伴い該ディスク面上に発生する空気流を整流する作用を呈する、ディスクトラックと交差する方向に繰り返された繰り返し形状を形成し、
前記繰り返し形状が、前記光ディスクの外周縁位置よりも所定距離内周側の位置で終了している光ディスク装置。
【請求項４】
光ディスクを、ターンテーブルとクランパで挟み込み支持した状態で回転駆動する機構を有する光ディスク装置において、
前記光ディスクに対面して前記クランパを保持するクランパホルダに、ディスク回転に伴い該ディスク面上に発生する空気流を整流する作用を呈する、ディスクトラックと交差する方向に繰り返された繰り返し形状を形成し、
前記繰り返し形状が、前記光ディスクの外周縁位置よりも所定距離内周側の位置で終了している光ディスク装置。
【発明の詳細な説明】
【０００１】
【発明の属する技術分野】
この発明は、光ディスク記録装置、光ディスク再生装置、光ディスク記録再生装置等の光ディスク装置に関し、ディスク回転により発生する空気流を整えてディスク振動を抑制し、もって記録信号品位、再生信号品位の低下を防止したものである。
【０００２】
【従来の技術】
近年の光ディスク記録再生技術においては、記録速度、再生速度の高速化が求められている。
【０００３】
【発明が解決しようとする課題】
ディスク再生装置内でディスクが回転すると空気流が生じる。この空気流はディスク回転が速くなると乱流となり、ディスクに振動を生じさせる。このディスクの振動は、記録信号品位、再生信号品位を低下させる原因となるため、記録速度、再生速度の高速化の妨げとなる。
【０００４】
この発明は、上述の点に鑑みてなされたもので、ディスク回転により発生する空気流を整えてディスク振動を抑制し、もって記録信号品位、再生信号品位の低下を防止した光ディスク装置を提供しようとするものである。
【０００５】
【課題を解決するための手段】
この発明は、回転する光ディスクの上方位置に、板状部材を、該ディスク面に対面し、かつ、該板状部材の下面とディスク面との間および該板状部材の上面とその上方の装置固定部分との間にそれぞれ空気流の流通空間を形成して、装置の適宜の固定部分に固定配置し、該板状部材に、ディスク回転に伴い該ディスク面上に発生する空気流を整流する作用を呈する、ディスクトラックと交差する方向に繰り返された繰り返し形状を形成してなるものである。これによれば、板状部材に形成された繰り返し形状により、ディスク回転により発生する空気流が整流されて、高速記録再生時においてもディスク振動が抑制され、記録信号品位、再生信号品位の低下が防止される。前記繰り返し形状は、例えば、平面方向に見て繰り返す形状とすることができる。前記繰り返し形状は、さらに、前記平面方向に見て繰り返す繰り返し形状と同期した、立面方向から見て繰り返す形状とすることができる。なお、この明細書で、「上方」、「下方」、「平面」、「立面」とは、光ディスク装置を横置き（水平置き）にして見た場合について表したものである。
【０００６】
前記板状部材は、ディスク回転に伴い該板状部材の面内に発生する空気流の流出端側に、ディスクトラックと交差する方向に延在する縁部を有し、前記繰り返し形状が、該縁部に形成されているものとすることができる。前記繰り返し形状は、例えば、正弦波状、鋸歯状等の波状として構成できる。前記板状部材は、ディスク回転に伴い該板状部材の面内に発生する空気流の流出端側に、ディスクトラックの接線方向と交差する方向に延在する縁部を有し、前記繰り返し形状が、該縁部に形成された、立面が波状の形状、および、該波状の縁部から該板状部材の面内につながる波面形状を有し、該波面の振幅が該縁部から離れるにしたがって、徐々に小さくなっていく形状とすることもできる。前記繰り返し形状は、前記板状部材の下面にそのトラック方向に沿って形成された複数本の凸条または凹条を有する形状とすることもできる。前記板状部材は、ディスクトラックと交差する縁部にリブを有しない金属平板で構成することができる。前記繰り返し形状は、前記光ディスクの外周縁位置よりも所定距離内周側の位置で終了しているものとすることができる。
【０００７】
この発明の光ディスク装置は、前記光ディスクをターンテーブルとクランパで挟み込み支持した状態で回転駆動する機構を有するものであって、前記板状部材が、該機構において、前記クランパを保持するクランパホルダを構成するものとすることができる。前記クランパホルダは、長板状に構成され、その長手方向中央部に前記クランパを保持し、該クランパホルダの長手方向両端部が装置構造部材に固定支持して配置され、該クランパホルダの前記クランパを挟んでその長手方向両側に位置する各面部分に前記繰り返し形状が形成されているものとすることができる。
【０００８】
この発明の光ディスク装置は、光ディスクを、ターンテーブルとクランパで挟み込み支持した状態で回転駆動する機構を有する光ディスク装置において、前記光ディスクに対面して前記クランパを保持するクランパホルダに、ディスク回転に伴い該ディスク面上に発生する空気流を整流する作用を呈する、ディスクトラックと交差する方向に繰り返された繰り返し形状を形成してなるものとすることができる。
【０００９】
なお、装置構造部材の左右側壁とその外側のケース部材との間に適宜の空間を形成し、長板状のクランパホルダを、光ディスクの上方位置で、該クランパホルダの長手方向両端部を前記装置構造部材の左右側壁部に固定支持して配置し、該クランパホルダの長手方向中央部にクランパを保持し、前記光ディスクを、ターンテーブルと前記クランパで挟み込み支持した状態で回転駆動する機構を有する光ディスク装置において、前記装置構造部材左右側壁部の、前記クランパホルダの長手方向両端部が固定支持されている箇所の周辺に、ディスク回転に伴い発生する空気流を、該装置構造部材の左右側壁とその外側のケース部材との間に形成された前記空間に流通させる開口部を形成してなるものとすることができる。これによれば、クランパホルダの上面側の空気流の流路断面積が広く確保されるので、圧力の急激な変化が減少し、高速記録再生時においてもディスク振動が抑制され、記録信号品位、再生信号品位の低下が防止される。前記装置構造部材の左右側壁上縁部に切り欠きを形成し、前記クランパホルダの長手方向両端部を該切り欠き内に固定支持し、該固定支持位置で、該クランパホルダの上方に形成される該切り欠きの残余空間により前記開口部を形成することができる。前記切り欠きを、該切り欠き位置における前記クランパホルダの短手方向の長さよりも広幅に形成し、もって該クランパホルダの短手方向の各端部と前記切り欠きの幅方向の各端部との間に形成される空間を前記開口部として追加してなるものとすることができる。前記装置構造部材の左右側壁上縁部に切り欠きを形成し、前記クランパホルダの長手方向両端部を該切り欠き箇所に固定支持し、該切り欠きを、該切り欠き位置における前記クランパホルダの短手方向の長さよりも広幅に形成し、もって該クランパホルダの短手方向の各端部と前記切り欠きの幅方向の各端部との間に形成される空間により前記開口部を形成してなるものとすることができる。前記開口部を、前記装置構造部材の左右側壁に形成した孔として構成することもできる。
【００１０】
また、ディスクトレイのピックアップ進入用開口部の、ディスクトラックの接線方向と交差する方向に延在する両縁部を、ディスク回転に伴い発生する空気流を整流する作用を呈する平面が波状の繰り返し形状に形成することができる。これによれば、ディスクトレイのピックアップ進入用開口部に形成された波状の繰り返し形状により、ディスク回転により発生する空気流が整流されて、高速記録再生時においてもディスク振動が抑制され、記録信号品位、再生信号品位の低下が防止される。
【００１１】
また、光ディスクを収容する空間に臨む装置構造部材の側壁内壁面に、ディスク回転に伴い発生する空気流を整流する作用を呈する、該空間に突出し水平方向に延在する複数本の凸条を形成することができる。これによれば、装置構造部材の側壁内壁面に形成された水平方向に延在する複数本の凸条により、ディスク回転により発生する空気流が整流されて、高速記録再生時においてもディスク振動が抑制され、記録信号品位、再生信号品位の低下が防止される。
【００１２】
【発明の実施の形態】
この発明の実施の形態を説明する。図１はこの発明が適用された、高速記録再生が可能なＣＤ−Ｒ／ＲＷドライブ（ＣＤ−ＲディスクとＣＤ−ＲＷディスクの記録再生ができる光ディスク装置）において、メカシャーシを構成するフレーム１０および該フレーム１０に格納されたディスクトレイ１２示すものである。フレーム１０には、その前面に、ディスクトレイ１２を出し入れする開口部が形成された前面パネルが装着され、下面に回路基板が装着され、側面、上面および背面の全体に外装カバーが装着される。ディスクトレイ１２は、モータ駆動により、矢印Ａで示す方向にスライドして、出し入れされる。ディスクトレイ１２には、光ディスクを載置する凹所１４、ターンテーブルが進入する開口部１６、光ピックアップが進入する開口部１８が形成されている。
【００１３】
フレーム１０の左右側壁２０，２２の上縁部には、切り欠き２４，２６が形成されている。切り欠き２４，２６内の底部には、クランパホルダ２８が載置して取り付けられている。クランパホルダ２８は、長板状の金属平板で構成され（図２に詳細構造を示す。）、その長手方向の両端部が、フレーム１０の切り欠き２４，２６の幅方向中央位置にそれぞれネジで固定されている。切り欠き２４，２６の幅Ｗ１は、クランパホルダ２８の短手方向の長さＷ２よりも十分に広幅に形成されている。クランパホルダ２８の長手方向および短手方向の中央部には、クランパ３０が回転自在に装着されている。クランパ３０は、その下方のターンテーブルと対面している。
【００１４】
光ディスクは矢印Ｂ方向に回転され、該回転に伴い、光ディスク面上には同方向の空気流が生じる。クランパホルダ２８の、クランパ３０を挟んでその両側の面部分２８ａ，２８ｂには、該空気流の流出端側の縁部に平面形状が波状（立面形状は直線状）に構成された繰り返し形状３２，３４が整流器としてそれぞれ形成されている。繰り返し形状３２，３４は、図２に示すように、その外端部が光ディスクの外周縁位置よりも所定距離Ｄ１（例えば１０ｍｍ位）内周側の位置で終了している。このようにしたのは、繰り返し形状３２，３４を光ディスクの外周縁位置まで形成した場合に比べて、空気流の整流効果（ディスク振動の減少効果）が高く得られることが実験によって確かめられたためである。
【００１５】
図１のＣＤ−Ｒ／ＲＷドライブにて光ディスクに記録または再生を行っている際の、同図Ｃ−Ｃ矢視断面の概略構造を図３に示す。フレーム１０にはスピンドルモータ３６が、モータ駆動（通常トレイローディング用モータを兼用して駆動）によって昇降可能に取り付けられている。スピンドルモータ３６の回転軸３６ａの頂部には、ターンテーブル３８が装着されている。ディスクトレイ１２が装置内にローディングされると、スピンドルモータ３６が上昇して、ターンテーブル３８により、光ディスク４０（ＣＤ−Ｒディスク、ＣＤ−ＲＷディスク等のＣＤ規格ディスク）がディスクトレイ１２からすくい上げられて、クランパ３０との間に挟み込まれる。この状態で、スピンドルモータ３６を駆動すると、光ディスク４０は回転され、光ピックアップにより記録または再生が行われる。この状態では、光ディスク４０の上下に空気流の流通空間４２，４４が形成される。クランパホルダ２８は光ディスク４０の上方の空間４２の中間の高さに配置されている。その結果、光ディスク４０の上方の流通空間４２は、クランパホルダ２８の位置で、クランパホルダ２８の下面と光ディスク４０の上面との間の流通空間４２ａと、クランパホルダ２８の上面と外装カバー４６の上面板４６ａの下面との間の流通空間４２ｂとに分割されている。フレーム側壁２０，２２の外側の面には、適宜の間隔置きにリブ２０ａ，２２ａが形成され、フレーム側壁２０，２２と外装カバー４６の側面板４６ｂ，４６ｃとの間に空間４８，５０を形成している。
【００１６】
記録再生時の光ディスク４０の上面側に生じる空気流を図４に示す。記録または再生時に、光ディスク４０の上下面には、ディスク回転に伴う同回転方向の空気流が生じる。このうち、光ディスク４０の上面側のディスク面内に生じる空気流Ｆは、クランパホルダ２８の空気流流出端側の縁部に形成された平面波状の繰り返し形状３２，３４により整流され、乱流が抑制される。これにより、高速回転時のディスク振動が抑制される。また、光ディスク４０の上面側のディスク面より外側に生じる空気流Ｇは、クランパホルダ２８で上下に分割される。このうち、クランパホルダ２８の下面側の空気流Ｇ１はフレーム側壁２０，２２で囲まれた空間内で流れる。
【００１７】
また、クランパホルダ２８の上面側の空気流Ｇ２は、切り欠き２４，２６から、フレーム側壁２０，２２と外装カバー４６の側面板４６ｂ，４６ｃとの間の空間４８，５０を通って流れる。これにより、クランパホルダ２８の上面側の空気流Ｇ２の流路断面積が広く確保されるので、圧力の急激な変化が減少し、高速回転時のディスク振動が、さらに抑制される。なお、切り欠き２４，２６はクランパホルダ２８の厚さよりも深く形成されているので、クランパホルダ２８の上方位置には切り欠き２４，２６による残余空間が形成されている。したがって、切り欠き２４，２６による空間４８，５０への開口部５１は、図３（ｂ）に示すように、クランパホルダ２８の上方位置の残余空間による開口部５１ａと、その前後のクランパホルダ２８よりも外側の開口部５１ｂ，５１ｃを組み合わせたものとして構成される。このようにして、切り欠き２４，２６による空間４８，５０への開口部５１は広く確保されている。ただし、開口部５１ｂ，５１ｃがなく開口部５１ａだけであっても（つまり、切り欠き２４，２６の幅をクランパホルダ２８の短手方向の長さと同程度に形成した場合）、あるいは逆に、開口部５１ａがなく開口部５１ｂ，５１ｃだけであっても（つまり、クランパホルダ２８の上方が塞がっている場合）、空気流は空間４８，５０へ流れ込むことができるので、乱流を抑制する効果が得られる。
【００１８】
この発明による、クランパホルダに形成する整流器の他の実施の形態を図５に示す。図５のクランパホルダ５２は、図２のクランパホルダ２８において、波状の繰り返し形状３２，３４を構成する各波の境界部分に切り込み５４を入れ、各分割された片５６に捻りをつけて、平面方向および立面方向に繰り返す鋸状の繰り返し形状６０、６１を形成したものである。
【００１９】
この発明によるディスク面振動抑制効果の測定結果について説明する。表１は、クランパホルダの各種形状による所定の高速回転時のディスク振動角の測定結果を示したものである。クランパホルダの幅（中央の円形状膨出部を除外した矩形の短手方向の長さ）はいずれも４２ｍｍである。なお、図６は、対比のために使用した、繰り返し形状による整流器の無いクランパホルダである。また、図７は、従来実施されていたクランパホルダで、短手方向両縁部に長手方向全体にわたりリブ５９が形成されており、繰り返し形状による整流器は形成されていない。
【表１】
0003692997.tif 000002
表１によれば、この発明による図２，図５のクランパホルダ２８，５２を使用すると、従来のクランパホルダ（図７）に比べて、ディスク振動が抑制されることがわかる。また、図６の、繰り返し形状による整流器の無いクランパホルダに比べても、ディスク振動が抑制されることがわかる。
【００２０】
表２は、フレーム１０の左右側壁２０，２２の上縁部の切り欠き２４，２６の広さによる所定の高速回転時のディスク振動角の測定結果を示したものである。なお、表２において「全部あり」とは、図３（ｂ）において開口部５１の全部（５１ａ，５１ｂ，５１ｃ）が形成されている場合を言い、「残余空間のみ」とは、開口部５１のうち開口部５１ｂ，５１ｃがなく開口部５１ａのみが形成されている場合（切り欠き２４，２６の幅をクランパホルダ２８の短手方向の長さと同程度に形成した場合）を言う。また、このとき図６の、繰り返し形状による整流器の無いクランパホルダを使用した。
【表２】
0003692997.tif 000003
表２によれば、切り欠き２４，２６を広く形成することにより、ディスク振動が抑制されることがわかる。
【００２１】
この発明による、クランパホルダに形成する整流器のさらに別の実施の形態を図８、図９、図１０に示す。図８のクランパホルダ６４は、図２のクランパホルダ２８において、波状の繰り返し形状３２，３４を構成する各波を下側に曲げて、平面方向および立面方向に繰り返す繰り返し形状６２、６３を形成したものである。図９のクランパホルダ６６は、長板状の金属平板で構成され、クランパホルダ６６の、クランパ６８を挟んでその両側の面部分６６ａ，６６ｂには、繰り返し形状７０，７２として、空気流の流出端側の縁部に立面が波状の形状を有し、該波状の縁部からクランパホルダ６６の面内につながる波面形状を有し、該波面の振幅が縁部から離れるにしたがって、徐々に小さくなっていく形状が形成されている。図１０のクランパホルダ７４は、長板状の金属平板で構成され、クランパホルダ７４の、クランパ７６を挟んでその両側の面部分７４ａ，７４ｂの下面には、繰り返し形状７８，８０として、ディスクトラック方向に沿って複数本の凹条（または凸条）８２が形成されている。
【００２２】
フレーム左右側壁に形成する、空気流流通用開口部の他の実施の形態を図１１に示す。これは、フレーム左右側壁８４，８６の上縁部にクランパホルダ８８を取り付け、該左右側壁８４，８６の、該クランパホルダ８８の取り付け箇所を挟んでその両側の位置に孔９０．９１，９２，９３を形成したものである。左右側壁８４，８６の外側には、空気流の流通空間を構成する空間を隔てて外装カバー（図示せず）が配置されている。ディスク回転に伴いディスク面上に生じる空気流の一部は、一方の孔９０，９２に入り、側壁８４，８６と外装カバーとの間の流通空間を通って、他方の孔９１，９３から出る。
【００２３】
ディスクトレイのピックアップ進入用開口部に形成する整流器の実施の形態を図１２に示す。ディスクトレイ９４のピックアップ進入用開口部９６の、光ディスクを載置する凹所９７内のディスクトラックの接線方向と交差する方向に延在する両縁部９８，１００が、平面が波状の繰り返し形状に形成されている。
【００２４】
フレーム左右側壁内壁面に形成する整流器の実施の形態を図１３に示す。これは、フレーム左右側壁１０２，１０４の上縁部にクランパホルダ１０６を取り付け、該左右側壁１０２，１０４の内壁面の、該クランパホルダ１０６の取り付け箇所を挟んでその両側の位置で光ディスク１１１の上方位置に、水平方向に延在する複数本の凸条１０８を形成したものである。
【００２５】
なお、前記実施の形態では、この発明をＣＤ−Ｒ／ＲＷドライブに適用した場合について説明したが、ＤＶＤドライブその他の光ディスクドライブに適用することができる。
【図面の簡単な説明】
【図１】  この発明が適用されたＣＤ−Ｒ／ＲＷドライブの実施の形態を示す斜視図である。
【図２】  図１のクランパホルダ２８の詳細構造を示す図である。
【図３】  図１のＣＤ−Ｒ／ＲＷドライブにて光ディスクの記録または再生を行っている際の、同図Ｃ−Ｃ矢視断面の概略構造を示す図である。
【図４】  図１のＣＤ−Ｒ／ＲＷドライブにおける記録再生時の光ディスクの上面側に生じる空気流を示す平面図である。
【図５】  この発明による、クランパホルダに形成する整流器の他の実施の形態を示す図である。
【図６】  表１の測定において対比のために使用した整流器の無いクランパホルダを示す図である。
【図７】  従来のクランパホルダを示す図である。
【図８】  この発明による、クランパホルダに形成する整流器のさらに別の実施の形態を示す図である。
【図９】  この発明による、クランパホルダに形成する整流器のさらに別の実施の形態を示す図である。
【図１０】  この発明による、クランパホルダに形成する整流器のさらに別の実施の形態を示す図である。
【図１１】  フレーム左右側壁に形成する、空気流流通用開口部の他の実施の形態を示す図である。
【図１２】  ディスクトレイのピックアップ進入用開口部に形成する整流器の実施の形態を示す図である。
【図１３】  フレーム左右側壁内壁面に形成する整流器の実施の形態を示す図である。
【符号の説明】
１０…フレーム（装置構造部材、装置固定部分）、１２，９４…ディスクトレイ、２０，２２，８４，８６，１０２，１０４…フレームの左右側壁、２４，２６…切り欠き（空気流を流通させる開口部）、２８，５２，６４，６６，７４，８８，１０６…クランパホルダ（板状部材）、３０…クランパ、３２，３４，６０，６１，６２，６３，７０，７２，７８，８０…クランパホルダに形成した繰り返し形状、３８…ターンテーブル、４０…光ディスク、４２ａ…クランパの下面とディスク面との間の空気流の流通空間、４２…光ディスクの上方の空間、４２ｂ…クランパの上面とその上方の外装カバーとの間の空気流の流通空間、４６…外装カバー（ケース部材、装置固定部分）、４８，５０…フレームの左右側壁とその外側のケース部材との間の空間、９０，９１，９２，９３…孔（空気流を流通させる開口部）、９６…ディスクトレイのピックアップ進入用開口部、９８，１００…ディスクトレイのピックアップ進入用開口部に形成した平面が波状の繰り返し形状、１０８…フレーム側壁内壁面に水平方向に延在する複数本の凸条。
【図１】
0003692997.tif 000004
【図２】
0003692997.tif 000005
【図３】
0003692997.tif 000006
【図４】
0003692997.tif 000007
【図５】
0003692997.tif 000008
【図６】
0003692997.tif 000009
【図７】
0003692997.tif 000010
【図８】
0003692997.tif 000011
【図９】
0003692997.tif 000012
【図１０】
0003692997.tif 000013
【図１１】
0003692997.tif 000014
【図１２】
0003692997.tif 000015
【図１３】
0003692997.tif 000016